(57)【要約】【課題】使用者がカートリッジをキャリア内に挿入し、かつカートリッジを排出可能にするシステムを提供すること。【解決手段】凹所が形成されたプレート、頂面及び底面を具備するベースを備えるカートリッジ・キャリア。錠止排出機構は前記ベースに連結される。ガイドは前記カートリッジを受容するように前記ベースの頂面に連結し得る。インターポーザー・ボードは前記ガイドに連結し得る。【選択図】図１
2006139767.tif 000002
【特許請求の範囲】
【請求項１】
カートリッジ・キャリアであって、
凹所が形成されたプレート、頂面及び底面を具備するベースと、
前記ベースの頂面に連結されたガイドと、
前記ガイドに連結されたインターポーザー・ボードと、
前記ベースに連結され、錠止機構を備える排出機構と、を備えるカートリッジ・キャリア。
【請求項２】
前記排出機構は、
前記帳面の凹所が形成されたプレートに連結されたばねプレートと、
前記ベースの底面に連結されたスライダー・プレートと、
前記スライダー・プレート及び前記ベースに連結された少なくとも１つの追出しレバーと、
前記スライダー・プレートに連結されたレバー・アームと、
を更に備える、請求項１に記載のカートリッジ・キャリア。
【請求項３】
前記錠止機構は前記スライダー・プレートに連結された排出ボタンを備える、請求項１に記載のカートリッジ・キャリア。
【請求項４】
前記錠止機構は、
前記スライダー・プレートに連結された排出ボタンと、
前記排出ボタンに連結された隆起部と、
前記ベースに連結されたリップと、を備え、
前記リップ、前記スライダー・プレート及び前記隆起部は、使用者が前記リップを前記隆起部と錠止係合すべく配向し得るように構成且つ設置される、請求項１に記載のカートリッジ・キャリア。
【請求項５】
前記リップ、前記スライダー・プレート及び前記隆起部は、使用者が前記リップを前記隆起部に対して解錠した位置に配向し得るように構成且つ設置される、請求項４に記載のカートリッジ・キャリア。
【請求項６】
前記ベースに連結された頂部カバーを更に備える、請求項１に記載のカートリッジ・キャリア。
【請求項７】
前記ベースに連結された底部カバーを更に備える、請求項１に記載のカートリッジ・キャリア。
【請求項８】
前記スライダー・プレート及び前記ベースに連結された第１ばねを更に備える、請求項２に記載のカートリッジ・キャリア。
【請求項９】
前記ばねプレート及び前記ベースに連結された第２ばねを更に備える、請求項２に記載のカートリッジ・キャリア。
【請求項１０】
シリアルＡＴＡコネクタを更に備える、請求項１に記載のカートリッジ・キャリア。
【請求項１１】
前記インターポーザー・ボードが電力コネクタ及び信号コネクタを更に備える、請求項１に記載のキャリア。
【請求項１２】
前記ベースに連結されたファンを更に備える、請求項１に記載のカートリッジ・キャリア。
【請求項１３】
前記インターポーザー・ボードに連結された温度センサを更に備える、請求項１に記載のカートリッジ・キャリア。
【請求項１４】
前記ベースに連結された発光ダイオードを更に備える、請求項１に記載のカートリッジ・キャリア。
【請求項１５】
前記ベースの底面に連結された回路ボードを更に備える、請求項１に記載のカートリッジ・キャリア。
【請求項１６】
電子データを記憶する搬送可能な媒体と、コンピュータシステムと共に使用するための錠止可能な排出システムであって、前記搬送可能な媒体に選択的に接続し、かつ前記コンピュータシステムと前記搬送可能な媒体との間で電子データを移送する手段を備える、前記錠止可能な排出システムにおいて、
前記コンピュータシステムに連結され、前記輸送可能な媒体を前記コンピュータシステムに連結し、かつ前記コンピュータシステムから前記輸送可能な媒体を排出する排出機構と、
前記排出機構に連結され、前記排出機構が前記輸送可能な媒体を排出することを選択的に防ぐ錠止可能な機構と、を備える錠止可能な排出システム。
【請求項１７】
前記コンピュータシステムに連結されたスライダー・プレートと、
前記スライダー・プレートに連結された少なくとも１つの追出しレバーと、を備える、
請求項１６に記載の錠止可能な排出システム。
【請求項１８】
前記錠止機構が前記スライダー・プレートに連結された排出ボタンを備える、請求項１８に記載の錠止可能な排出システム。
【請求項１９】
前記錠止機構が、
前記スライダー・プレートに連結された排出ボタンと、
前記スライダー・プレートに連結された排出ボタンと、
前記排出ボタンに連結された隆起部と、
記ベースに連結されたリップと、を備え、
前記リップ、前記スライダー・プレート及び前記隆起部は、使用者が前記リップを前記隆起部と錠止係合すべく配向し得るように構成且つ設置される、請求項１６に記載の錠止可能な排出システム。
【請求項２０】
前記リップ、前記スライダー・プレート及び前記隆起部は、使用者が前記リップを前記隆起部に対して解錠した位置に配向し得るように構成且つ設置される、請求項１９に記載の錠止可能な排出システム。
【請求項２１】
コンピュータシステムから輸送可能な媒体の不用意な排出を防ぐ方法であって、
使用者が前記輸送機構を解放するまで使用者が前記輸送媒体を排出することができないように錠止排出ボタンを係合させる段階を備える方法。
【請求項２２】
コンピュータシステムから輸送可能な媒体の不用意な排出を防ぎ、及び錠止排出ボタンを使用して、意図的な排出を可能にする方法において、
前記錠止排出ボタンが錠止機構に係合するまで、前記錠止排出ボタンを第１方向に動かすことによって前記錠止排出ボタンを係合させる段階を備える方法。
【請求項２３】
コンピュータシステムから輸送可能な媒体の不用意な排出を防ぎ、及び錠止排出ボタンを使用して、意図的な排出を可能にする方法において、
前記錠止排出ボタンが錠止機構に係合するまで第１方向に前記錠止排出ボタンを移動させることによって前記錠止ボタンを係合させる段階と、
その後、輸送可能な前記媒体の排出を可能にするように前記錠止排出ボタンの係合を解く段階と、を備える方法。
【請求項２４】
前記錠止排出ボタンを解放する前記段階が、前記錠止ボタンを第１方向に移動させる一方で同時に前記第１方向に直角な方向に前記錠止排出ボタンを移動させる段階を備える、請求項２２に記載の方法。
【発明の詳細な説明】
【技術分野】
【０００１】
本発明は、携帯可能なディスク・ドライブ、磁気媒体、光ディスク等のような携帯可能な媒体を利用する電子装置に関する。特に、本発明は、こうした電子装置のための排出システムに関する。
【背景技術】
【０００２】
情報の価値及び用途が増加するにつれて、個人及び仕事は情報を処理し且つ記憶する更なる方法を模索している。ポータブルディスク・ドライブ、時期媒体、光ディスク等のような携帯可能なデータ記憶媒体は、しばしば、コンピュータのような電気装置間でデータを記憶しかつデータを転送するのに使用される。例えば、パーソナルコンピュータ及びワークステーションの出現に伴って、コンピュータデータが記憶された媒体を取り外す必要がしばしばある。使用者は記憶媒体を取り外して異なるサイト及び／又は異なるコンピュータシステムに運ぶことを切望し得る。記憶されたコンピュータデータが敏感又は秘密、あるいはバックアップコピーが必要とされる場合には、記憶媒体を取り外して安全なロケーションに移動させることも望ましいものとし得る。
【０００３】
リムーバブル・ハードディスク・ドライブは、通常、硬い面上への落下の場合にディスク・ドライブを保護する分離材料を有するシェル又はカートリッジ内に収容される。例えば、カートリッジ１００（図１）はハードディスク・ドライブを収容する衝撃に耐える容器を含み得る。カートリッジはデスクトップ又はサーバ・システムに永久に設置されたキャリアによって大きなコンピュータシステムまたはネットワークに連結し得る。本来のカートリッジが再挿入されるか、あるいは異なるカートリッジをデスクトップ又はサーバー内に挿入し返すこともできる。このキャリアの挿入／取出しサイクルは就業日中何回も生じ得る。
【発明の開示】
【発明が解決しようとする課題】
【０００４】
カートリッジをデスクトップ又はサーバ・システムに挿入する時毎に、このカートリッジは複数のインタフェース・コネクタによってホスト・コンピュータと電気的に相互接続しなければならない。例えば、リボンケーブルはディスク・ドライブから延び、カートリッジ内の捕捉的なディスク・ドライブ・インタフェース・コネクタに機械的に連結しなければならないディスク・ドライブ・インタフェース・コネクタに終端することができる。かくして、カートリッジの繰返される接続断続サイクルはコネクタのような部品の磨耗に帰着する。摩耗に耐え得るハードディスク・ドライブに電力及びシステムからのデータ信号を与えることもできることが望ましい。
【０００５】
使用者がカートリッジをキャリア内に挿入し、かつカートリッジを排出可能にするシステムを提供することも望ましい。しかしながら、使用者がキャリアからカートリッジを不用意に輩出することもあり得る。例えば、データがカートリッジに書込み中又はカートリッジから読み出し中にカートリッジが排出されると、この場合はデータが壊れ得るため、望ましくない。
【課題を解決するための手段】
【０００６】
カートリッジ・キャリアは凹所が形成されたプレート、頂面及び底面を具備するベースを備える。排出機構はベースに連結し得る。そして、排出機構は錠止システムを含む。
【０００７】
本願明細書に組み込まれ且つその一部を構成する添付図面は、詳細な説明と共に、本発明の１つ以上の実施形態を示し、本発明の原理及び方法を説明するのに役立つ。
【発明を実施するための最良の形態】
【０００８】
カートリッジ・キャリアの内容についての実施形態を本願明細書で説明する。当業者は以下の詳細な説明が例示のみであり何れかの方法で限定することを意図していないことを理解するであろう。他の実施形態はこの開示の利益を有するこうした当業者にはそれ自体容易に示唆をする。添付図面に示したように手段・方法に関して詳細に参照を行う。同じ参照符号標識は全図面中で使用され、以下の詳細な説明は同じ部品又は類似の部品を言及する。
【０００９】
明瞭化のために、本願明細書の手段・方法の決まりきった特徴の全ては図示され且つ説明されない。勿論、何れかのこうした実際の実施例、多数の実施例−特定の決定は、こうした用途及び仕事に関する拘束のような、開発者の特定のゴールを達成するためになされなければならない。しかもこれらの特定のゴールは１つの実施例から別の実施例及び１人の開発者から別の開発者で変わる。さらに、そのような開発努力が複雑かもしれないし、調子消費しているかもしれないことは認識されるだろう、しかしながらそれらのために巧みに計画実行するルーチン仕事になるだろう、通常は、この開示の利益を有するこつにおける熟練。
【００１０】
図１はリムーバブル・カートリッジの実施形態である。カートリッジ１００は任意の形状又はその用途に必要な寸法にし得る。カートリッジ１００はキャリア内でカートリッジ１００の位置決め支援をし、かつカートリッジ１００がキャリア内に適切に挿入されたことを使用者に知らせる、切込み１０２及び配向タブチャネル１０４を備え得る。
【００１１】
ここで、図２Ａ及び図２Ｂを参照して、カートリッジ・キャリアの実施形態を図で示す。全体的に参照符号２００が付されたカートリッジ・キャリアは、頂部カバー２０２、底部カバー２０４及びベース２０６を備え、これによりエンクロージャを構成する。ベース２０６は底部カバー２０４と、頂部カバー２０２と、を連結し、かつエンクロージャ内に位置づけられる。
【００１２】
キャリア２００はデスクトップ又はサーバー・ボックス・ベイ内に設置すべく３．５インチ形態要素内に嵌合させるように構成し得る。キャリアは必要により何れの寸法ともし得るが、約９０−１１０ｍｍの幅、３０−５０ｍｍの高さ、及び１３０−１９０ｍｍの長さの外側寸法を有し得る。
【００１３】
キャリアは、エンクロージャへのアクセスを与え、かつカートリッジ１００をキャリア内に案内する開口組立体２１０を備え得る。開口組立体２１０はドア２０８、光導管開口２１４、及び排出ボタン２１６用ポート２１３を備え得る。開口組立体２１０はキャリア２００の外郭形状に合ったものとし得ると共に、キャリア２００よりも高さが大きく且つ幅が拡いものとし得る。開口組立体２１０はスナップ嵌め、摩擦嵌め、接着剤等による取付のような何れかの手段によってキャリア２００に着脱自在に連結し得る。ドア２０８はカートリッジが存在しない時にはばねで閉じるように構成し得ると共に、カートリッジ１００に接触するための複数の蹴上げ部２１８ａ、２１８ｂを含み得る。隆起部はドア及びカートリッジ１００上の磨耗痕を減じる。
【００１４】
ベース２０６の実施形態を図３Ａ及び図３Ｂに示す。ベース２０６は、頂面３０８、底面３０４及び凹所が形成されたプレート３００を備える。凹所が形成されたプレート３００は２つの共平面プレート３０２間に位置づけ得る。これにより、凹所が形成されたプレート３００及び２つの共平面プレート３０２は異なる平面上に配向される。ベース２０６はキャリア２００をデスクトップ又はサーバー・ベイに取り付けるために側面及び底面に沿った複数の装着穴３１０を備える。
【００１５】
図４を使ってカートリッジ・ガイドの実施形態を説明する。全体的に参照符号４００が付されたカートリッジ・ガイドはカートリッジを受容するためにベース２０６の頂面３０８に連結し得る。カートリッジ・ガイド４００は、開口組立体に係合するための複数の組立係合部４０２を使用するような様々な手段によって開口組立体２１０に着脱自在に連結し得る。しかしながら、開口組立体はねじ、接着剤等によってカートリッジ・ガイド４００にも連結し得る。少なくとも１つの配向タブ４０４が、カートリッジのキャリア内への不適切な挿入を防ぐためにカートリッジ・ガイド４００内に位置付けし得る。配向タブ４０４０は配向タブチャネル１０４に係合し且つ該チャネルに沿って摺動し得る。さらに、カートリッジ・ガイド４００は電気素子及び／又は印刷回路基板（ＰＣＢｓ）と接続するために後部に装着穴又は係合フィーチャ部を備え得る。
【００１６】
配向タブ４０４及びカートリッジ・ガイド４００それ自体のようなベース２０６及びガイド部品は、カートリッジの挿入又は装填及び引抜き又は排出の間にカートリッジと摺動接触する。カートリッジは２つの共平面頂面３０２、及びカートリッジ・ガイド４００の内面によって案内し得る。かくして、滑らか且つ低摩擦面を供するために、これらの面は溶融電気めっきされたテフロン（登録商標）コーティング等で処理し得る。ベース２０６及びカートリッジ・ガイド４００の両方はシートメタル、プラスチック、アルミニウム等のような何れかの軽量であるが強い材料で作り得る。
【００１７】
図５Ａ〜図５Ｅを使って排出機構の実施形態を説明する。排出機構は凹所が形成されたプレート３００内でベース２０６に連結されたばねプレート５００を備える。キャリアからのカートリッジの排出を支援するばねプレートを以下に詳細に説明する。ばねプレート５００はキャリア内に挿入された時にカートリッジに接触するためのカートリッジ接触部材９０４を備える。凹所が形成されたプレート３００の頂面の４つのリベット５０２ａ、５０２ｂ、５０２ｃ、５０２ｄはばねプレート５００を受容し、かつ案内する。リベット５０２ａ、５０２ｂ、５０２ｃ、５０２ｄのヘッドは、カートリッジとの接触を防ぐように２つの共平面プレート３０２の平面より下に位置づけ得る。ばねプレート５００は対応する開口５０４ａ、５０４ｂ、５０４ｃ、５０４ｄをリベット５０２ａ、５０２ｂ、５０２ｃ、５０２ｄと整合させることによって凹所が形成されたプレート３００上に組み立てられる。ばねプレート５００は、その後、矢印Ａの方向に摺動する。一旦、ばねプレート５００が固定されると、拡張ばね５０８は図５Ｂに示すように、ばねプレート５００の下側及びベース２０６の底面のばねタブ５０６ａ、５０６ｂ上に位置づけられる。
【００１８】
スライダー・プレート５１０は凹所が形成されたプレート３００上に位置づけられた第１部分５１４と、共平面プレート３０２の１つに位置づけられた第２部分と、によってベース２０６の底面３０４に位置づけられる。スライダー・プレート５１０がカートリッジの挿入及び排出を支援することを以下に詳細に説明する。第１部分５１４は、凹所が形成されたプレート３００及び共平面プレート３０２のそれぞれに従うように第２部分５１６とは異なる平面に位置づけられる。底面３０４のリベット５１２ａ、５１２ｂ、５１２ｃはスライダー・プレート５１０を受容且つ案内する。スライダー・プレート５１０は対応する開口５１８ａ、５１８ｂ、５１８ｃをリベット５１２ａ、５１２ｂ、５１２ｃと整合させることによってベース２０６上に組み立てられる。スライダー・プレート５１０は、その後、矢印Ｂの方向に摺動する。一旦、スライダー・プレート５１０がベース２０６に固定されると、拡張ばね５２０は（図５Ｃにも示すように）、スライダー・プレート５１０及びベース２０６のばねタブ５０６ｃ、５０６ｄ上にそれぞれ位置づけられる。
【００１９】
図５Ｃに示すような追出しレバー５２２ａ、５２２ｂは以下に更に詳細に説明するようにカートリッジの引出しを支援するように使用し得る。追出しレバー５２２ａ、５２２ｂはスライダー・プレート５１０上のピン５２４ａ、５２４ｂによって受容されるべき第１開口５２８ａ、５２８ｂを備え得る。第２開口５３８ａ、５３８ｂはベース２０６のピン５４０ａ、５４０ｂ上に位置づけ得る。拡張部材５３０ａ、５３０ｂはキャリア内に挿入された時にカートリッジに接触させるべくベース２０６上の開口５２６ａ、５２６ｂを貫通して延在する。一旦適切に位置付けられると、追出しレバー５２２ａ、５２２ｂはピン５４０ａ、５４０ｂの溝に嵌合する保持リング５３２ａ、５３２ｂによって適所に保持し得る。ピン５２６ａ、５２６ｂ、及び５４０ａ、５４０ｂは、ピン５２６ａ、５２６ｂ、及び５４０ａ、５４０ｂが追出しレバー５２２ａ、５２２ｂから外向きに延在するように、追出しレバー５２２ａ、５２２ｂの高さよりも高い高さを有し得る。これは保持リング５３２ａ、５３２ｂのピン５４０ａ、５４０ｂの溝への挿入を可能にする。保持リング５３２ａ、５３２ｂはｅクリップのような追出しレバー５２２ａ、５２２ｂを固定することができる何れかのタイプの固定リングとし得る。
【００２０】
排出機構は図５Ｄに示すようなレバー組立体５３４も備え得る。レバー組立体５３４はピン５４２と係合するための開口５３６を有し得るものであり、かつピン５４２の溝に嵌合する保持リング５３２ｃで定位置に保持し得る。リベット５４４は、自身が開口５４６によって受容し得るようにレバー組立体５３４上で下向きに延在し得る。レバー組立体５３４から下向きに延在するローラ５４８はベース２０６の開口５５０によって受容し得る。ローラ５４８は自身がキャリア内に挿入され、かつカートリッジ切込み１０２に接続する時にカートリッジに接触する。レバー組立体５３４は、スライダー・プレート５１０上のカム面切込み５５６内に挿入される、従動ピン５５４によってスライダー・プレート５１０と可動に連動し得る。一旦組み立てられると、拡張ばね５５２は、図５Ｅに示すように、ばねタブ５０６ｅでレバー組立体５３４と、ベース２０６のばねタブ５０６ｄと、に連結し得る。
【００２１】
上述した全ての可動要素の材料は磨耗及び摩擦に耐える材料から作り得る。例えば、リベット５０２ａ、５０２ｂ、５０２ｃ、５０２ｄ、５１２ａ、５１２ｂ、５１２ｃ、５４４は軟らかいステンレス鋼から作り得る。ばねプレート５００及びスライダー・プレート５１０は研磨されたステンレ鋼又はアルミニウムから作り得る。追出しレバー５２２ａ、５２２ｂは射出モールド成形プラスチック又は亜鉛代キャストで作り得る。レバー組立体５３４は銅又はテフロン（登録商標）コーティングされたアルミニウムで作り得る。そして、ローラ５４８は銅又は潤滑プラスチックで作り得る。上述した実例は例示目的のみのためであり、かつ多数の他の実施形態が可能である場合に限定しようと意図したものではない。
【００２２】
図６Ａ及び図６Ｂを使ってカートリッジ・コネクタと干渉するインターポーザー・ボードの実施形態を説明する。連結は部分的な許容差によって又は製造固定具によって達成し得る。インターポーザー・ボードであるＰＣＢ６００はネジ６０２ａ、６０２ｂ、６０２ｃ、６０２ｄによってカートリッジ・ガイド４００の後部に取り付け得る。図６Ａに更に示すように、カートリッジ・ガイド４００はネジ６０２ｅ、６０２ｆによってベース２０６に取り付け得る。インターポーザー・ボード６００は、カートリッジと係合する係合シリアルＡＴＡ（ＳＡＴＡ）コネクタ６０４、様々な代替電気部品（図示せず）、光導管６０６、ファンコネクタ６０８、及び、電力及び信号コネクタ６１０を含み得る。図面はインターポーザー・ボード６００から成る１つの実施形態で示しているが、インターポーザー・ボード６００は必要により何れに形状構成し得る。例えば、外部接続性は通常の１２Ｖ／５Ｖコネクタ及び７ピンＳＡＴＡ信号コネクタを要し得る。ユニバーサル・シリアル・ボード（ＵＳＢ）インタフェースのための要求もあり得る。あるいはＳＡＴＡ信号コネクタ及び電力コネクタもあり得る。さらにまた、インターポーザー・ボード６００は５Ｖ〜３．３Ｖまでに及ぶ電圧レギュレータ、ＳＡＴＡへのＵＳＢのための橋絡電子部品、更なるＰＣＢに接続するための更なるコネクタ等を備え得る。このように、インターポーザー・ボードの形状構成は必要により変更し得る。更にまた、インターポーザー・ボード６００はキャリアを通じた空気流が最高になりことを可能とするように水平に配向して示されているが、インターポーザー・ボードは必要に応じて何れの配向にも配向し得る。
【００２３】
図６Ｂに示すように、別又は随意のＰＣＢ６１２はベース２０６にも連結し得る。ベース２０６は底面でより大きなＰＣＢを支持するように構成し得る。更なるＰＣＢ６１２はデータ圧縮のような何れかの理由のために使用し得る。ファン６１４はネジ６１６ａ、６１６ｂでベース２０６に取り付け得るものであり、かつ電力用インターポーザー・ボード６００に連結し得る。光導管６０６もベース２０６の底面に取り付け得る。光導管６０６の第１端部６２０とはインターポーザー・ボード６００のＬＥＤの真近に設置し得るものであり、かつ第２端部６２２は開口組立体２１０の光導管開口２１４に嵌合するように設置し得る。
【００２４】
図７を使ってキャリアを組み立てる方法を説明する。キャリア２００を組み立てるために、カートリッジ・ガイド４００及びインターポーザー・ボード６００はベース２０６に取り付けられる。ファン６１４はベース２０６大微インターポーザー・ボード６００に取り付け得る。開口組立体２１０はベース２０６にも取り付け得る。頂部カバー２０２及び底部カバー２０４は、その場合、ベース２０６に係合するスナップ嵌合タブ７０２ａ、０２ｂ、７０２ｃ、７０２ｄ、７０４ａ、７０４ｂ、７０４ｄのような何れかの手段によって一緒に取り付け得る。しかしながら、頂部カバー２０２及び底部カバー２０４をベース２０６に取り付ける何れか他の手段はネジ等の接着剤として使用し得る。頂部カバー２０２及び底部カバー２０４は、移動、搬送及び船積みの間にベース及び他の内部部品を保護する。
【００２５】
図８Ａ〜図８Ｃは非使用時のキャリアの実施形態を示す。図８Ｂはベース２０６の頂面３０８を示し、かつ図８ｃはベース２０６の底面３０４を示す。両者は明朗化のためにカートリッジ・ガイドを示していない。図８Ａに示すように、カートリッジ１００はドア２０８を通じて挿入されるべきである。ドア２０８はばね力又は何れか他の代価手段によって閉ざし得る。
【００２６】
ばねプレート５００は図８Ｂに示すように拡張ばね５０８からのばね力によって矢印Ｆの方向で前方に位置づけられる。図８Ｃでは、スライダー・プレート５１０は、拡張ばね５２０によるばね力によって矢印Ｃの方向で後方に引っ張られる。スライダー・プレート５１０はベース２０６から外向きに延在する制限タブ８０２と係合するまで引き戻される。これは開口組立体２１０面に対して排出ボタン２１６を面一にせしめる。追出しレバー５２２ａ及び５２２ｂは、スライダー・プレート５１０の位置によって矢印Ｄの方向で前方に引かれる。レバー組立体５３４はスライダー・プレート５１０の側面に沿ってカム面切込み５５６に対して矢印Ｂの方向でばね荷重が掛けられ且つ外向きに保持される。
【００２７】
図９Ａ〜図９Ｅを使ってカートリッジをキャリアを挿入する方法を説明する。図９Ａでは、カートリッジ１００は、キャリア２００内に矢印Ｇの方向で、正確な配向で、手又はロボットによって挿入される。カートリッジ１００の不適切な挿入は開口組立体２１０及び図９Ｂに示す配向タブ４０４の外郭によって阻止し得る。カートリッジ１００がキャリア２００内に挿入される時、ドア２０８は急に引かれて、カートリッジ１００の端縁及び案内角度９０２はカートリッジ１００のキャリア２００内へのスムースな挿入を可能にする。
【００２８】
図９Ｃを使って、一度に更にキャリア２００内に挿入されたカートリッジ１００を説明する。カートリッジ１００の挿入の約４分の３で、カートリッジ１００は接触部材９０４でばねプレート５００に接触する。カートリッジ１００の更なる挿入は、ばねプレート拡張ばねが反るときに、使用者又はロボットに関する挿入加入を増大させる。
【００２９】
カートリッジ１００が、図９Ｄ（平面図）及び図９Ｅ（ベース底面図）に示すように、なお更にキャリア２００内に挿入され、カートリッジ１００の最後の約５ｍｍにおいて、インターポーザー・ボードＳＡＴＡコネクタ６０４はカートリッジ１００に係合する。カートリッジ１００は追出しレバー５２２ａ、５２２ｂの拡張部材５３０ａ、５３０ｂにも接触する。カートリッジが強制的に更にキャリア２００（図９Ｅ）内に挿入される時、拡張部材５３０ａ及び５３０ｂは強制的に後方に強いられ、これは追出しレバー５２２a、５２２ｂの第１開口５２８a及び５２８ｂをして矢印Ｉの方向で前方に移動せしめ、これが今度はスライダー・プレート５１０をして矢印Ｉの方向で前方に移動せしめる。スライダー・プレート５１０が前方に動く時、排出ボタン６は開口組立体２１０から外向きに突出し始める。同時に、ラッチ組立体５３４は矢印Ｊの方向に動く。従動ピン５５４は、スライダー・プレート５１０が前方に動く時に該スライダー・プレート５１０上のカム面切込み５５６内で摺動する。これはラッチ組立体５３４を矢印Ｊ方向に動かしめる。カートリッジ１００がキャリア内に更に挿入され、かつラッチ組立体５３４が動き続けるにつれて、ローラ５４８はカートリッジ切込み１０２に接触し、これにより何れかの可聴音が聞こえ得る。この音はカートリッジ１００がキャリア２００内に完全に挿入されたことを示す。
【００３０】
一旦カートリッジ１００が完全に挿入されると、カートリッジ１００の正面は開口組立体と面一になり、かつ図１２に示すように開口組立体から突出する。排出ボタン２１６が開口組立体から外向きに突出する距離は、追出しレバーの回動点と接触点との間の比率に関連し得る。カートリッジはＳＡＴＡ接続及びカートリッジ切込みと係合するレバー組立体ローラの強力な係合力によって定位置に保持し得る。ＳＡＴＡコネクタの接続時に、ファン及びＬＥＤは自動的に付き、ディスク・ドライブ動作はＬＥＤを付ける。しかしながら、ＬＥＤ及びファンは使用者により変更し得ることを理解し得る。例えば、温度センサ等の回路の作動に基づいて、ファンはドライブ動作の長期間の間のみ回転するように制御し得る。
【００３１】
カートリッジを排出するために、使用者は排出ボタン２１６を装置の後部に向かって内向きに押さなければならない。排出ボタン２１６はスライダー・プレート５１０を後向きに移動させ、これは、今度は、第１開口５２８ａ及び５２８ｂを後向きに回動させる。拡張部材５３０ａ及び５３０ｂは今度はカートリッジ１００を強制的に前方に押すために強制的に前方に押し出される。拡張部材５３０ａ及び５３０ｂはカートリッジの中心回りで対称にカートリッジに接触してカートリッジの移動の方向における等しく釣り合った力を与えることに留意すべきである。使用者が排出ボタン２１６を押し続けると、カートリッジが、ＳＡＴＡコネクタの長さと等価とし得る、強制的に約５ｍｍ前方に押し出されるまで、拡張部材５３０ａ及び５３０ｂはカートリッジと接触したままである。レバー組立体のローラは、カートリッジ切込み半径又はスライダー・プレート上のカム面切込みあるいは両方の何れかによって強制的に外向きに押出される。ばねプレートは約１５〜３０ｍｍの距離だけカートリッジをキャリアから押し出す。カートリッジは、それから、キャリアから引き出し得るものであり、ドアはばね力によって閉じる。
【００３２】
例えば、使用者が排出ボタン２１６を不用意に衝突するように、キャリア２００からカートリッジ１００を不用意に排出することがあり得ることをここで認識すべきである。これは、例えば、カートリッジ１００がデータを該カートリッジに書込中又は該カートリッジから読取中にカートリッジ１００を排出すると、こうした場合には、データは壊れ得るから、望ましくないものであり得る。この問題を回避するために、錠止機構が設けられる。
【００３３】
図１０〜図１２に示すように、錠止機構は排出ボタン２１６の上側後部に形成され、かつボタン２１６の幅に延在する隆起部１００２を含む。排出ボタン２１６はボタン２１６と一体成形され、かつ第２部分５１６内の穴に圧入嵌めされる２つのシリンダー１００４および１００５によってスライダー・プレート５１０の第２部分５１６に固定される。錠止機構もプレート３０２の前方端部に形成され、かつ下向きに延在するリップ１００６を含む。
【００３４】
錠止機構の作動はこれで理解し得る。カートリッジ１００がキャリア２００内に挿入された時に、排出ボタン２１６は図１０に示す位置にある。図９Ｄ（平面図）及び図９Ｅ（底面図）に示すように、使用者がカートリッジ１００を挿入し続けると、カートリッジ１００の挿入の最後の約５ｍｍにおいて、インターポーザー・ボードＳＡＴＡコネクタ６０４はカートリッジ１００に係合する。この時に、排出ボタン２１６は開口組立体２１０から外向きに突出し始める。カートリッジ１００がキャリア内に更に挿入され、かつラッチ組立体５３４が動き続けると、ローラ５４８はカートリッジ切込み１０２に接触し、これにより、何れかの可聴音が聞こえ得る。この音はカートリッジ１６０がキャリア２００内に完全に挿入されたことを示す。
【００３５】
一旦カートリッジ１００が完全に挿入されると、カートリッジ１００の正面は開口組立体２１０と面一になり、かつ排出ボタン２１６は図１１に示すように開口組立体から突出する。そして、隆起部１００２の前側端縁はリップ１００６の後方端縁に接触する。この時に、錠止機構は非錠止位置にあり、そして使用者は単に排出ボタン２１６を後方に押すことによってカートリッジを排出し得る。しかしながら、使用者が錠止機構を作動さりりことを所望するのなら、使用者は排出ボタン２１６を前方に引っ張る。これは、第２部分５１６を下向きに曲げせしめ、そして排出ボタンは、隆起部１００２がリップ１００６の下で前方に動くように僅かに下向きに動く。隆起部の前面は４５°のベベルギヤが付されてリップ１００６の下で隆起部１００２が摺動する支援をする。使用者は、排出ボタンの前方運動が、延長部材５３０ａ、５３０ｂと開口５２６ａ及び５２６ｂの後部端とのそれぞれの接触によって停止するまで排出ボタンを引張り続ける。この時、排出ボタンは図１２に示す位置にある。使用者が後部に向かって排出ボタン２１６に水平に力を加えると、排出ボタン２１６の後向き運動はリップ１００６と隆起部１００２との間の接触によって停止する。使用者がシステムを解錠したいのなら、使用者は排出ボタン２１６を下向きに押す一方で第２部分が下向きに曲がり、かつ隆起部１００２がリップ１００６の真下を通過することができるように後方にも押圧する。
【００３６】
この発明の実施形態及び用途を示し且つ説明してきたが、上述したものより多くの変更が本願明細書に記載された本発明の概念から逸脱することなく可能であることはこの開示の利益を有する当業者には自明であろう。従って、本発明は、特許請求の範囲の精神以外に制限されるべきではない。
【図面の簡単な説明】
【００３７】
【図１】リムーバル・ディスク・カートリッジの実施形態を示す図である。
【図２Ａ】カートリッジ・キャリアの実施形態を示す図である。
【図２Ｂ】カートリッジ・キャリアの実施形態を示す図である。
【図３Ａ】ベースの実施形態を示す図である
【図３Ｂ】ベースの実施形態を示す図である。
【図４】カートリッジ・ガイドの実施形態を示す図である
【図５Ａ】排出機構の実施形態を示す図である。
【図５Ｂ】排出機構の実施形態を示す図である。
【図５Ｃ】排出機構の実施形態を示す図である。
【図５Ｄ】排出機構の実施形態を示す図である。
【図５Ｅ】排出機構の実施形態を示す図である。
【図６Ａ】インターポーザー・ボードの実施形態を示す図である。
【図６Ｂ】インターポーザー・ボードの実施形態を示す図である。
【図７】キャリアを組み立てる方法を示す図である。
【図８Ａ】非使用時のキャリアの実施形態を示す図である。
【図８Ｂ】非使用時のキャリアの実施形態を示す図である。
【図８Ｃ】非使用時のキャリアの実施形態を示す図である。
【図９Ａ】カートリッジをキャリア内に挿入する方法を示す図である。
【図９Ｂ】カートリッジをキャリア内に挿入する方法を示す図である。
【図９Ｃ】カートリッジをキャリア内に挿入する方法を示す図である。
【図９Ｄ】カートリッジをキャリア内に挿入する方法を示す図である。
【図９Ｅ】カートリッジをキャリア内に挿入する方法を示す図である。
【図１０】本発明による錠止機構の実施形態を示す図である。
【図１１】本発明による錠止機構の実施形態を示す図である。
【図１２】本発明による錠止機構の実施形態を示す図である。
【符号の説明】
【００３８】
１００  カートリッジ
１０２  切込み
１０４  配向チャネル
２００  カートリッジ・キャリア
２０２  頂部カバー
２０４  底部カバー
２０６  ベース
２０８  ドア
２１０  開口組立体
２１３  ポート
２１４  光導管開口
２１６  排出ボタン
２１８ａ、２１８ｂ  蹴上げ部
３００  凹所が形成されたプレート
３０２  共平面プレート
３０４  底面
３０８  頂面
３１０  装着穴
４００  カートリッジ・ガイド
４０２  組立係合部
４０４  配向タブ
５００  ばねプレート
５０２ａ、５０２ｂ、５０２ｃ、５０２ｄ  リベット
５０４ａ、５０４ｂ、５０４ｃ、５０４ｄ  開口
５０６ａ、５０６ｂ  ばねタブ
５０６ｃ、５０６ｄ  ばねたぶ
５０６ｅ  ばねタブ
５０８  拡張ばね
５１０  スライダー・プレート
５１２ａ、５１２ｂ、５１２ｃ  リベット
５１４  第１部分
５１６  第２部分
５１８ａ、５１８ｂ、５１８ｃ  開口
５２０  拡張ばね
５２２ａ、５２２ｂ  追出しレバー
５２４ａ、５２４ｂ  ピン
５２６ａ、５２６ｂ  開口
５２８ａ、５２８ｂ  第１開口
５３０ａ、５３０ｂ  拡張部材
５３２ａ、５３２ｂ  保持リング
５３２ｃ  保持リング
５３４  レバー組立体
５３６  開口
５３８ａ、５３８ｂ  第２開口
５４０ａ、５４０ｂ  ピン
５４２  ピン
５４４  リベット
５４６  開口
５４８  ローラ
５５０  開口
５５２  拡張ばね
５５４  従動ピン
５５６  カム面切込み
６００  インターポーザー・ボード
６０２ａ、６０２ｂ、６０２ｃ、６０２ｄ  ネジ
６０２ｅ、６０２ｆ  ネジ
６０４  係合シリアルＡＴＡコネクタ
６０６  光導管
６０８  ファンコネクタ
６１０  電力及び信号コネクタ
６１２  ＰＣＢ
６１４  ファン
６１６ａ、６１６ｂ  ネジ
７０２ａ、７０２ｂ、７０２ｃ、７０２ｄ、７０４ａ、７０４ｂ、７０４ｃ、７０４ｄスナップ嵌合タブ
８０２  制限タブ
９０２  案内角度
９０４  接触部材
１００２  隆起部
１００４、１００５  シリンダー
１００６  リップ
【図１】
2006139767.tif 000003
【図２Ａ】
2006139767.tif 000004
【図２Ｂ】
2006139767.tif 000005
【図３Ａ】
2006139767.tif 000006
【図３Ｂ】
2006139767.tif 000007
【図４】
2006139767.tif 000008
【図５Ａ】
2006139767.tif 000009
【図５Ｂ】
2006139767.tif 000010
【図５Ｃ】
2006139767.tif 000011
【図５Ｄ】
2006139767.tif 000012
【図５Ｅ】
2006139767.tif 000013
【図６Ａ】
2006139767.tif 000014
【図６Ｂ】
2006139767.tif 000015
【図７】
2006139767.tif 000016
【図８Ａ】
2006139767.tif 000017
【図８Ｂ】
2006139767.tif 000018
【図８Ｃ】
2006139767.tif 000019
【図９Ａ】
2006139767.tif 000020
【図９Ｂ】
2006139767.tif 000021
【図９Ｃ】
2006139767.tif 000022
【図９Ｄ】
2006139767.tif 000023
【図９Ｅ】
2006139767.tif 000024
【図１０】
2006139767.tif 000025
【図１１】
2006139767.tif 000026
【図１２】
2006139767.tif 000027
【外国語明細書】
2006139767.tif 000028
2006139767.tif 000029
2006139767.tif 000030
2006139767.tif 000031
2006139767.tif 000032
2006139767.tif 000033
2006139767.tif 000034
2006139767.tif 000035
2006139767.tif 000036
2006139767.tif 000037
2006139767.tif 000038
2006139767.tif 000039
2006139767.tif 000040
2006139767.tif 000041
2006139767.tif 000042
2006139767.tif 000043
2006139767.tif 000044
2006139767.tif 000045
2006139767.tif 000046
2006139767.tif 000047
2006139767.tif 000048
2006139767.tif 000049
2006139767.tif 000050
2006139767.tif 000051
2006139767.tif 000052
2006139767.tif 000053
2006139767.tif 000054
2006139767.tif 000055
2006139767.tif 000056
2006139767.tif 000057
2006139767.tif 000058
2006139767.tif 000059
2006139767.tif 000060
2006139767.tif 000061
2006139767.tif 000062
2006139767.tif 000063
2006139767.tif 000064
2006139767.tif 000065
2006139767.tif 000066